(57)【要約】  本技術は、小型で良好な光学性能を有する撮像レンズを得ることができるようにする撮像レンズ、カメラモジュール、および撮像装置に関する。撮像レンズは、物体側に配置された前群、撮像面側に配置された後群、および前群と後群の間に配置された絞りから構成される。前群は、少なくとも１枚の負の屈折力を持つレンズと、少なくとも１枚の正の屈折力を持つレンズとから構成され、後群は少なくとも１枚の負の屈折力を持つレンズから構成されている。また、最も撮像面側のレンズ面の形状は、変曲点を持つ非球面形状とされている。さらに、前群の負の屈折力を持つレンズのアッベ数の最大値と、前群の正の屈折力を持つレンズのアッベ数の最小値との差分が１４より大きくなるようになされている。これにより、小型で良好な光学性能を有する撮像レンズが実現される。本技術は、撮像レンズに適用することができる。
2014192567.tif 000002
【特許請求の範囲】
【請求項１】
物体側に配置され、少なくとも１枚の負の屈折力を持つレンズと、少なくとも１枚の正の屈折力を持つレンズとを有する前群と、
撮像面側に配置され、少なくとも１枚の負の屈折力を持つレンズを有する後群と、
前記前群と前記後群との間に配置された絞りと
を備え、
最も撮像面側のレンズ面の形状が、変曲点を有する非球面形状とされ、
前記前群を構成する負の屈折力を持つレンズのアッベ数の最大値をνmaxとし、前記前群を構成する正の屈折力を持つレンズのアッベ数の最小値をνminとしたときに、
νmax−νmin＞１４
の関係を満足する
撮像レンズ。
【請求項２】
最も物体側に位置するレンズ面の面頂点から撮像面までの光軸上の距離をΣｄとし、前記撮像レンズの全系の焦点距離をｆとしたときに、
Σｄ／ｆ＜１５
の関係を満足する
請求項１に記載の撮像レンズ。
【請求項３】
前記絞りよりも撮像面側に位置するレンズの合成焦点距離をｆｓとし、前記撮像レンズの全系の焦点距離をｆとしたときに、
０．５＜ｆｓ／ｆ＜５．０
の関係を満足する
請求項１に記載の撮像レンズ。
【請求項４】
νmax−νmin＞１４．４
の関係を満足する
請求項１に記載の撮像レンズ。
【請求項５】
Σｄ／ｆ＜８．０
の関係を満足する
請求項２に記載の撮像レンズ。
【請求項６】
最も撮像面側に位置するレンズが負の屈折力を持つレンズである
請求項１に記載の撮像レンズ。
【請求項７】
最も撮像面側のレンズ面の光軸近傍が凹形状とされ、周辺部が凸形状とされている
請求項１に記載の撮像レンズ。
【請求項８】
前記撮像レンズの画角は１００度以上である
請求項１に記載の撮像レンズ。
【請求項９】
前記撮像レンズは６枚以上のレンズで構成されている
請求項１に記載の撮像レンズ。
【請求項１０】
変曲点を有する非球面形状のレンズがプラスチックにより形成されている
請求項１に記載の撮像レンズ。
【請求項１１】
特定の大きさ以下のレンズがプラスチックにより形成されている
請求項１に記載の撮像レンズ。
【請求項１２】
特定の大きさ以上のレンズがガラスにより形成されている
請求項１に記載の撮像レンズ。
【請求項１３】
物体側に配置され、少なくとも１枚の負の屈折力を持つレンズと、少なくとも１枚の正の屈折力を持つレンズとを有する前群と、
撮像面側に配置され、少なくとも１枚の負の屈折力を持つレンズを有する後群と、
前記前群と前記後群との間に配置された絞りと
を有する撮像レンズを備え、
前記撮像レンズの最も撮像面側のレンズ面の形状が、変曲点を有する非球面形状とされ、
前記前群を構成する負の屈折力を持つレンズのアッベ数の最大値をνmaxとし、前記前群を構成する正の屈折力を持つレンズのアッベ数の最小値をνminとしたときに、
νmax−νmin＞１４
の関係を満足する
カメラモジュール。
【請求項１４】
物体側に配置され、少なくとも１枚の負の屈折力を持つレンズと、少なくとも１枚の正の屈折力を持つレンズとを有する前群と、
撮像面側に配置され、少なくとも１枚の負の屈折力を持つレンズを有する後群と、
前記前群と前記後群との間に配置された絞りと
を有する撮像レンズを備え、
前記撮像レンズの最も撮像面側のレンズ面の形状が、変曲点を有する非球面形状とされ、
前記前群を構成する負の屈折力を持つレンズのアッベ数の最大値をνmaxとし、前記前群を構成する正の屈折力を持つレンズのアッベ数の最小値をνminとしたときに、
νmax−νmin＞１４
の関係を満足する
撮像装置。
【発明の詳細な説明】
【技術分野】
【０００１】
本技術は撮像レンズ、カメラモジュール、および撮像装置に関し、特に、小型で良好な光学性能を得ることができるようにした撮像レンズ、カメラモジュール、および撮像装置に関する。
【背景技術】
【０００２】
従来、車載カメラや監視カメラ、ビデオカメラ、電子スチールカメラなどの撮像装置に用いられている撮像光学系として、物体側から順に、負の屈折力を有する前群と、正の屈折力を有する後群からなる光学系は良く知られている。【０００３】
近年、携帯電話機やデジタルカメラなどをはじめとする携帯型の撮像装置が広く普及している。そして、近年の撮像装置の小型化にともない、撮像装置に搭載される撮像レンズもより一層の小型化が要求されている。加えて、撮像装置に搭載される撮像素子の高画素化も進んでいるため、これに対応できるように撮像装置に搭載される撮像レンズに対してもさらなる高解像が求められている。そこで、このような要求を満足する小型の撮像レンズが提案されている。
【先行技術文献】
【特許文献】
【０００４】
【特許文献１】特開２００３−２３２９９８号公報
【特許文献２】特開２００６−２０９０２８号公報
【発明の概要】
【発明が解決しようとする課題】
【０００５】
したがって、超広角レンズを携帯電話機やスポーツカムなどのような小型なデジタル機器に搭載するためには、さらなる小型化が必要とされている。【０００６】
しかしながら、従来のように設計された広角レンズは、小型なデジタル機器に利用するものとしてはバックフォーカスが長く、小型とはいえない光学系サイズであった。【０００７】
本技術は、このような従来の事情にみて提案されたものであり、小型で良好な光学性能が得られる撮像装置を提供することができるようにするものである。
【課題を解決するための手段】
【０００８】
本技術の第１の側面の撮像レンズは、物体側に配置され、少なくとも１枚の負の屈折力を持つレンズと、少なくとも１枚の正の屈折力を持つレンズとを有する前群と、撮像面側に配置され、少なくとも１枚の負の屈折力を持つレンズを有する後群と、前記前群と前記後群との間に配置された絞りとを備え、最も撮像面側のレンズ面の形状が、変曲点を有する非球面形状とされ、前記前群を構成する負の屈折力を持つレンズのアッベ数の最大値をνmaxとし、前記前群を構成する正の屈折力を持つレンズのアッベ数の最小値をνminとしたときに、νmax−νmin＞１４の関係を満足する。【０００９】
最も物体側に位置するレンズ面の面頂点から撮像面までの光軸上の距離をΣｄとし、前記撮像レンズの全系の焦点距離をｆとしたときに、Σｄ／ｆ＜１５の関係を満足する。【００１０】
前記絞りよりも撮像面側に位置するレンズの合成焦点距離をｆｓとし、前記撮像レンズの全系の焦点距離をｆとしたときに、０．５＜ｆｓ／ｆ＜５．０の関係を満足する。【００１１】
νmax−νmin＞１４．４の関係を満足する。【００１２】
Σｄ／ｆ＜８．０の関係を満足する。【００１３】
最も撮像面側に位置するレンズを負の屈折力を持つレンズとすることで満足する。【００１４】
最も撮像面側のレンズ面の光軸近傍が凹形状とされ、周辺部が凸形状とされることで満足する。【００１５】
前記撮像レンズの画角を１００度以上とすることで満足する。【００１６】
前記撮像レンズを６枚以上のレンズで構成することで満足する。【００１７】
変曲点を有する非球面形状のレンズをプラスチックにより形成することにより満足する。【００１８】
特定の大きさ以下のレンズをプラスチックにより形成することにより満足する。【００１９】
特定の大きさ以上のレンズをガラスにより形成することにより満足する。【００２０】
本技術の第２の側面のカメラモジュール、または本技術の第３の側面の撮像装置は、物体側に配置され、少なくとも１枚の負の屈折力を持つレンズと、少なくとも１枚の正の屈折力を持つレンズとを有する前群と、撮像面側に配置され、少なくとも１枚の負の屈折力を持つレンズを有する後群と、前記前群と前記後群との間に配置された絞りとを有する撮像レンズを備え、前記撮像レンズの最も撮像面側のレンズ面の形状が、変曲点を有する非球面形状とされ、前記前群を構成する負の屈折力を持つレンズのアッベ数の最大値をνmaxとし、前記前群を構成する正の屈折力を持つレンズのアッベ数の最小値をνminとしたときに、νmax−νmin＞１４の関係を満足する。
【発明の効果】
【００２１】
本技術の第１の側面乃至第３の側面によれば、小型で良好な光学性能が得られる撮像装置を提供することが可能となる。
【図面の簡単な説明】
【００２２】
【図１】本技術の概要について説明する図である。
【図２】カメラモジュールの構成例を示す図である。
【図３】各面の曲率半径、面間隔、屈折率、およびアッベ数を示す図である。
【図４】各面の曲率半径、コーニック定数、および非球面係数を示す図である。
【図５】撮像レンズの収差を示す図である。
【図６】カメラモジュールの構成例を示す図である。
【図７】各面の曲率半径、面間隔、屈折率、およびアッベ数を示す図である。
【図８】各面の曲率半径、コーニック定数、および非球面係数を示す図である。
【図９】撮像レンズの収差を示す図である。
【図１０】カメラモジュールの構成例を示す図である。
【図１１】各面の曲率半径、面間隔、屈折率、およびアッベ数を示す図である。
【図１２】各面の曲率半径、コーニック定数、および非球面係数を示す図である。
【図１３】撮像レンズの収差を示す図である。
【図１４】カメラモジュールの構成例を示す図である。
【図１５】各面の曲率半径、面間隔、屈折率、およびアッベ数を示す図である。
【図１６】各面の曲率半径、コーニック定数、および非球面係数を示す図である。
【図１７】撮像レンズの収差を示す図である。
【図１８】カメラモジュールの構成例を示す図である。
【図１９】各面の曲率半径、面間隔、屈折率、およびアッベ数を示す図である。
【図２０】各面の曲率半径、コーニック定数、および非球面係数を示す図である。
【図２１】撮像レンズの収差を示す図である。
【図２２】カメラモジュールの構成例を示す図である。
【図２３】各面の曲率半径、面間隔、屈折率、およびアッベ数を示す図である。
【図２４】各面の曲率半径、コーニック定数、および非球面係数を示す図である。
【図２５】撮像レンズの収差を示す図である。
【図２６】撮像装置の構成例を示す図である。
【発明を実施するための形態】
【００２３】
以下、図面を参照して、本技術を適用した実施の形態について説明する。なお、以下の説明においては、例示されるレンズデータ等はあくまで一例であって、本技術はそれらに必ずしも限定されるものではなく、その要旨を変更しない範囲で適宜変更が可能である。
【００２４】
〈本技術の概要〉
まず、本技術の概要について説明する。本技術を適用したカメラモジュールは、例えば図１に示すように構成される。なお、図中、一点鎖線はカメラモジュールの光軸を表している。
【００２５】
図１に示すカメラモジュール１１は、撮像レンズ２１、光学フィルタ２２、およびイメージセンサ２３から構成される。
【００２６】
撮像レンズ２１は、例えば画角が１００度以上である超広角レンズであり、前群３１、絞り３２、および後群３３を備えている。撮像レンズ２１では、物体側から撮像面に向かって順番に前群３１、絞り３２、および後群３３が配置されている。つまり、物体側には前群３１が配置され、撮像面側には後群３３が配置され、前群３１と後群３３との間に絞り３２が配置されている。
【００２７】
前群３１は少なくとも１枚の負の屈折力を持つレンズと、少なくとも１枚の正の屈折力を持つレンズから構成される。この例では前群３１は、レンズＬ１乃至レンズＬ３から構成されている。また、後群３３は少なくとも１枚の負の屈折力を持つレンズから構成され、この例では後群３３は、レンズＬ４乃至レンズＬ６から構成されている。
【００２８】
イメージセンサ２３は、例えばCMOS（Complementary Metal Oxide Semiconductor）やCCD（Charge Coupled Device）などの固体撮像素子からなり、撮像レンズ２１の結像面（撮像面）に配置されている。イメージセンサ２３は、撮像レンズ２１および光学フィルタ２２を介して被写体から入射した光を受光して光電変換し、その結果得られた画像データを後段に出力する。
【００２９】
ところで、小型で良好な光学性能を有する撮像レンズを備えたカメラモジュールを得るためには、例えば撮像レンズの色収差を適切に補正し、撮像レンズのバックフォーカスを短くする必要がある。
【００３０】
そこで、カメラモジュール１１では、前群３１が少なくとも１枚の負の屈折力を持つレンズと、少なくとも１枚の正の屈折力を持つレンズとから構成され、後群３３が少なくとも１枚の負の屈折力を持つレンズから構成されるとともに、後群３３の最も撮像面側のレンズ面の形状が、変曲点を持つ非球面形状となるようになされている。
【００３１】
このように前群３１を少なくとも１枚の負の屈折力を持つレンズと、少なくとも１枚の正の屈折力を持つレンズとから構成することにより、色収差を適切に補正して良好な光学性能を実現するとともに、光を急峻に屈折させて、画角が広い場合であっても光学的な全長を短くすることができる。
【００３２】
特に、前群３１を構成する負の屈折力を持つレンズのアッベ数の最大値をνmaxとし、前群３１を構成する正の屈折力を持つレンズのアッベ数の最小値をνminとしたときに、次式（１）が満たされるようにすると、色収差が適切な大きさとなるように撮像レンズ２１の色収差を抑えることができる。
【００３３】
【数１】
2014192567.tif 000003
【００３４】
式（１）に示されるアッベ数の最大値νmaxと最小値νminとの差が大きいほど色収差を小さく抑えることができるが、その差が１４よりも大きい値であれば、適切な色収差の撮像レンズ２１を得ることができる。
【００３５】
なお、式（１）の関係が満たされるとよいと説明したが、次式（２）の関係を満足することが更に好ましい。
【００３６】
【数２】
2014192567.tif 000004
【００３７】
また、カメラモジュール１１では、後群３３を少なくとも１枚の負の屈折力を持つレンズから構成し、かつ後群３３の最も撮像面側のレンズ面の形状を、変曲点を持つ非球面形状とすることで後群３３の一部に大きい負のパワーを持たせ、撮像レンズ２１のバックフォーカスを短くすることができる。特に、後群３３を構成する最も撮像面側のレンズを負の屈折力を持つレンズ、すなわちレンズの光軸近傍の光学的パワーが負であるレンズとすれば、撮像レンズ２１のバックフォーカスをより短くするのに好適である。
【００３８】
図１の例では、後群３３を構成するレンズＬ５とレンズＬ６が負の屈折力を持つレンズとなっており、かつレンズＬ６のイメージセンサ２３側、つまり撮像面側のレンズ面の形状が、レンズ端付近に変曲点を持つ非球面形状となっている。具体的には、レンズＬ６の撮像面側のレンズ面では、レンズ中心、つまり光軸近傍の形状が凹形状となっており、周辺部、つまり外周部分近傍の形状が凸形状となっている。
【００３９】
さらに、カメラモジュール１１では、次式（３）が満たされるようにすることで撮像レンズ２１の小型化、すなわち低背化が実現されている。
【００４０】
【数３】
2014192567.tif 000005
【００４１】
なお、式（３）においてΣｄは撮像レンズ２１の全長、つまり撮像レンズ２１の最も物体側に位置するレンズ面の面頂点から撮像面までの光軸上の距離を示している。したがって、図１の例では、最も物体側に位置するレンズＬ１の図中、左側のレンズ面から、イメージセンサ２３までの光軸方向の距離が撮像レンズ２１の全長Σｄとなる。また、式（３）においてｆは撮像レンズ２１全系の焦点距離を示している。
【００４２】
式（３）に示される全長Σｄと焦点距離ｆの比が小さくなるほど、撮像レンズ２１は小型になり、特に、全長Σｄと焦点距離ｆの比の値が１５よりも小さい場合に、十分に小型な撮像レンズ２１を得ることができる。
【００４３】
例えば焦点距離ｆを固定値とすると、全長Σｄと焦点距離ｆの比の値が小さいほど、撮像レンズ２１の全長Σｄがより短いことになる。また、撮像レンズ２１のバックフォーカスが短くなれば、その分だけ全長Σｄも短くなる。
【００４４】
そして、本技術では以下の式（４）の関係が満足されることが更に好ましい。
【００４５】
【数４】
2014192567.tif 000006
【００４６】
さらに、カメラモジュール１１では、次式（５）が満たされるようにすることで撮像レンズ２１の小型化と良好な光学性能の維持が実現されている。
【００４７】
【数５】
2014192567.tif 000007
【００４８】
なお、式（５）では、ｆは撮像レンズ２１全系の焦点距離を示しており、ｆｓは絞り３２よりも撮像面側にあるレンズの合成焦点距離、つまり後群３３の焦点距離を示している。
【００４９】
ｆｓ／ｆの値が式（５）の条件の下限値を下回ると、絞り３２より後群の偏芯誤差敏感度が非常に高くなり、製造難易度が高くなる。一方でｆｓ／ｆの値が式（５）の条件の上限値を上回ると、球面収差が補正過剰になり光学性能の維持が難しくなる。
【００５０】
また、撮像レンズ２１では全長を十分短い長さとし、色収差を抑えるなど十分な光学性能を得るために、撮像レンズ２１は６枚以上のレンズから構成されている。例えば図１の例では、前群３１が３枚のレンズから構成され、さらに後群３３が３枚のレンズから構成されて、撮像レンズ２１は合計６枚のレンズから構成されている。これは、撮像レンズ２１を構成するレンズ枚数を５枚以下とすると、適切な全長かつ光学性能を有する撮像レンズを得ることが困難になってしまうからである。
【００５１】
さらにレンズ成形の観点からは、撮像レンズ２１を構成するレンズのうちの非球面レンズ、特に変曲点を有する非球面形状の非球面レンズは、プラスチック材料（硝材）により形成されることが好ましい。また、撮像レンズ２１を構成するレンズのうち、特定サイズ以下の大きさのレンズをプラスチック材料により形成されたレンズとし、その特定サイズよりも大きいレンズをガラス材料により形成されたレンズとしてもよい。これは、非球面レンズや比較的小さいレンズをプラスチック以外の硝材で形成することが困難だからである。
【００５２】
以上のような条件を満足するようにすれば、画角が１００度以上である場合であっても、小型で十分な光学性能を有する撮像レンズ２１を得ることができる。
【００５３】
特に、撮像レンズ２１では、絞り３２の前後に位置する前群３１と後群３３で色収差のバランスをとりつつ、最も撮像面側のレンズ面の形状を、変曲点を持つ非球面形状としている。これにより、バックフォーカスをより短くし、小型で良好な光学性能を有する撮像レンズ２１を得ることができる。
【００５４】
このような撮像レンズ２１を備えるカメラモジュール１１は、例えば携帯電話機や、ウェアラブルカメラ、監視カメラなどの小型なデジタル機器に利用することができる。
【００５５】
〈第１の実施の形態〉
〈カメラモジュールの構成例〉
次に、本技術を適用したより具体的な実施の形態について説明する。
【００５６】
図２は、本技術を適用したカメラモジュールの一実施の形態の構成例を示す図である。なお、図２において図１における場合と対応する部分には同一の符号を付してあり、その説明は適宜省略する。
【００５７】
図２に示すカメラモジュール１１は、図１に示したカメラモジュール１１と同様の構成となっている。
【００５８】
また、図２では、カメラモジュール１１を構成するレンズ等の部材の各面に対して面番号が付与されている。具体的には、レンズＬ１乃至レンズＬ３の各レンズ面、絞り３２の表面、レンズＬ４乃至レンズＬ６の各レンズ面、および光学フィルタ２２の表裏の各面に対して、物体側から撮像面方向に順番に面番号Ｓ１乃至面番号Ｓ１５が付与されている。
【００５９】
このような構成の撮像レンズ２１の画角は１７１度となっており、撮像レンズ２１の全長、撮像レンズ２１の焦点距離、前群３１の焦点距離、後群３３の焦点距離、およびレンズＬ１乃至レンズＬ６の焦点距離は、以下の表１に示す通りである。なお、表１における各値はｍｍ単位となっている。
【００６０】
【表１】
2014192567.tif 000008
【００６１】
ここで、撮像レンズ２１の全長は、撮像レンズ２１の最も物体側に位置するレンズ面の面頂点から撮像面（イメージセンサ２３）までの光軸上の距離であり、上述した式（３）における全長Σｄである。また、焦点距離が正の値であるレンズは正の屈折力を持つレンズであり、焦点距離が負の値であるレンズは負の屈折力を持つレンズである。
【００６２】
表１における撮像レンズ２１の焦点距離1.3569が、上述した式（３）や式（５）における撮像レンズ２１全系の焦点距離ｆであり、表１における後群焦点距離4.1985が、上述した式（５）における後群３３の焦点距離ｆｓである。この例では前群３１と後群３３は、それぞれ正の屈折力を持つレンズとして機能していることが分かる。
【００６３】
表１から、従来の一般的な超広角レンズの全長が20ｍｍ程度であったのに対して、撮像レンズ２１の全長は8.3ｍｍと短くなっていることが分かる。
【００６４】
また、カメラモジュール１１のレンズ面等の各面の曲率半径Ｒ、隣接する各面間の距離である面間隔ｄ、各レンズ等の屈折率、および各レンズ等のアッベ数は図３に示す通りである。
【００６５】
図３では、図２に示したカメラモジュール１１の各面に対して付与した面番号Ｓ１乃至面番号Ｓ１５の各面について、ｍｍ単位で曲率半径Ｒが記されている。
【００６６】
また、図３における面間隔ｄは、面番号が付与された互いに隣接する面間の光軸上の距離を示しており、面間隔ｄはｍｍ単位で記されている。但し、面番号Ｓ１５についての面間隔ｄは、光学フィルタ２２の面番号Ｓ１５の面からイメージセンサ２３の受光面までの光軸上の距離を示している。
【００６７】
例えば、面番号Ｓ１の面間隔ｄ＝0.857ｍｍは、光軸上における面番号Ｓ１が付与されたレンズＬ１の物体側のレンズ面から、面番号Ｓ２が付与されたレンズＬ１の撮像面側のレンズ面までの距離、つまりレンズＬ１の厚さを示している。また、図３に示される各面の面間隔ｄの合計値が撮像レンズ２１の全長Σｄとなる。
【００６８】
さらに、図２に示した撮像レンズ２１を構成するレンズのうち、レンズＬ３乃至レンズＬ６の各レンズ面は非球面形状となっており、それらのレンズ面の形状は図４に示す各係数を用いて以下の式（６）に示す非球面式により表すことができる。
【００６９】
【数６】
2014192567.tif 000009
【００７０】
なお、式（６）において、Ｚは非球面頂点、つまりレンズ面の頂点に対する接平面からの光軸方向の距離を示しており、ｈは光軸からの高さを示している。つまり、式（６）の非球面式は、光軸からの高さがｈである位置にあるレンズ面と、接平面との距離Ｚを示している。なお、距離Ｚの符号は撮像面側が＋方向となっている。
【００７１】
また、式（６）において、ｃは非球面頂点の曲率半径Ｒの逆数を示しており、Ｋはコーニック定数を示している。さらに式（６）において、Ａ乃至Ｈのそれぞれは、３次乃至１０次の非球面係数を示している。
【００７２】
図４では、非球面形状を有する面番号Ｓ５、面番号Ｓ６、および面番号Ｓ８乃至面番号Ｓ１３の各面について、式（６）の計算に必要となる曲率半径Ｒ、コーニック定数Ｋ、および非球面係数Ａ乃至非球面係数Ｈが示されている。
【００７３】
例えば、面番号Ｓ５が付与されたレンズ面の曲率半径Ｒ、コーニック定数Ｋ、および非球面係数Ａ乃至非球面係数Ｈが、それぞれ2.226665、-1.52402、0、-0.02864、0、-0.00178、0、0.025146、0、および0となっている。
【００７４】
以上に示した設計データに基づく図２の撮像レンズ２１は、本技術の概要で説明した各条件を満たすものとなっている。
【００７５】
例えば、式（１）に示したアッベ数の差νmax−νmin、式（３）に示した全長と焦点距離の比Σｄ／ｆ、および式（５）に示した焦点距離の比ｆｓ／ｆは、以下の表２に示す通りとなる。
【００７６】
【表２】
2014192567.tif 000010
【００７７】
すなわち、表１から前群３１を構成するレンズのうち、負の屈折力を持つレンズであるのはレンズＬ１とレンズＬ２であることが分かるとともに、前群３１を構成するレンズのうち、正の屈折力を持つレンズであるのはレンズＬ３であることが分かる。
【００７８】
また、図３から、前群３１を構成する負の屈折力を持つレンズのうち、アッベ数が最大となるのはレンズＬ２であり、そのアッベ数は70.44であることが分かる。さらに、図３から、前群３１を構成する正の屈折力を持つレンズであるレンズＬ３のアッベ数は56.00であることが分かる。
【００７９】
したがって、アッベ数の最大値νmaxと最小値νminとの差は、表２に示すように14.44（＝70.44-56.00）＞14となり、式（１）が満たされることが分かる。さらに式（２）の関係も満足されることが分かる。
【００８０】
また、表１に示したように撮像レンズ２１の全長Σｄは8.3であり、撮像レンズ２１全系の焦点距離ｆは1.3569であるから、全長Σｄと焦点距離ｆの比は表２に示すように6.116884074（＝8.3/1.3569）＜15となり、式（３）が満たされることが分かる。さらに式（４）の関係も満足される。
【００８１】
さらに、表１に示したように後群３３の焦点距離ｆｓは4.1985であり、撮像レンズ２１全系の焦点距離ｆは1.3569であるから、焦点距離ｆｓと焦点距離ｆの比は表２に示すように3.094185275（＝4.1985/1.3569）となり、式（５）が満たされることが分かる。
【００８２】
以上のように、本技術の概要で説明した各条件を満たす図２の撮像レンズ２１は、小型で、かつ十分な光学性能を有するものとなっている。このような撮像レンズ２１の球面収差、非点収差、および歪曲収差を図５に示す。
【００８３】
なお、図５において、図中、左側に球面収差が示されており、中央には非点収差が示されており、右側には歪曲収差が示されている。
【００８４】
図中、左側に示される球面収差では、縦軸は光軸からの高さ、つまり光の入射高を示しており、横軸は球面収差の大きさを示している。また、図中、左側に示される球面収差では、一点鎖線、実線、および点線の曲線それぞれが、ｇ線、ｄ線、およびｃ線における球面収差を示している。ここで、ｄ線は基準波長となる波長の光であり、ｇ線は基準波長よりも短い波長の光であり、ｃ線は基準波長よりも長い波長の光である。例えば基準波長は587.56ｎｍとされる。
【００８５】
この例ではｇ線、ｄ線、およびｃ線の球面収差を示す各線の横方向の間隔、つまり球面収差の差分が、光軸からの各高さにおいて小さくなっており、撮像レンズ２１の色収差が小さく抑えられていることが分かる。
【００８６】
また、図中、中央に示される非点収差では、縦軸は画角を示しており、横軸は非点収差の大きさを示している。ここで図中、中央に示される非点収差では、実線、および点線の曲線は、それぞれサジタル光線、およびメジオナル光線の非点収差を示している。
【００８７】
さらに、図中、右側に示される歪曲収差（ディストーション）では、縦軸は画角を示しており、横軸は歪曲収差の大きさを示している。
【００８８】
このように図５に示す球面収差、非点収差、および歪曲収差から、撮像レンズ２１においては各収差が良好に補正されており、十分な光学性能が得られることが分かる。
【００８９】
〈第２の実施の形態〉
〈カメラモジュールの構成例〉
次に、本技術を適用したカメラモジュールの他の実施の形態について説明する。図６は、カメラモジュールの他の構成例を示す図である。なお、図６において図２における場合と対応する部分には同一の符号を付してあり、その説明は適宜省略する。
【００９０】
図６に示すカメラモジュール１１は、撮像レンズ２１、光学フィルタ２２、およびイメージセンサ２３から構成される。図６に示すカメラモジュール１１は、撮像レンズ２１の前群３１と後群３３のレンズ構成が図２に示したカメラモジュール１１と異なり、その他の点では図２のカメラモジュール１１と同じ構成となっている。
【００９１】
図６では、前群３１はレンズＬ１１乃至レンズＬ１３から構成され、物体側から撮像面の方向に順番にレンズＬ１１乃至レンズＬ１３が配置されている。また、後群３３は、レンズＬ１４乃至レンズＬ１７から構成され、物体側から撮像面の方向に順番にレンズＬ１４乃至レンズＬ１７が配置されている。そして、前群３１と後群３３の間には絞り３２が配置されている。
【００９２】
このように図６に示す撮像レンズ２１では、後群３３は４枚のレンズから構成されており、後群３３を構成する最も撮像面側のレンズＬ１７は負の屈折力を持つレンズとなっている。そして、このレンズＬ１７の撮像面側のレンズ面の形状は、レンズ端付近に変曲点を持つ非球面形状となっている。具体的には、レンズＬ１７の撮像面側のレンズ面では、光軸近傍の形状が凹形状となっており、外周部分近傍の形状が凸形状となっている。
【００９３】
また、図６では、カメラモジュール１１を構成するレンズ等の部材の各面に対して面番号が付与されている。具体的には、レンズＬ１１乃至レンズＬ１３の各レンズ面、絞り３２の表面、レンズＬ１４乃至レンズＬ１７の各レンズ面、および光学フィルタ２２の表裏の各面に対して、物体側から撮像面方向に順番に面番号Ｓ２１乃至面番号Ｓ３７が付与されている。
【００９４】
このような構成の撮像レンズ２１の全長、撮像レンズ２１の焦点距離、前群３１の焦点距離、後群３３の焦点距離、およびレンズＬ１１乃至レンズＬ１７の焦点距離は、以下の表３に示す通りである。なお、表３における各値はｍｍ単位となっており、表３の表記方法は表１の場合と同様であるので、その説明は省略する。
【００９５】
【表３】
2014192567.tif 000011
【００９６】
この例では前群３１が負の屈折力を持つレンズとして機能し、後群３３は正の屈折力を持つレンズとして機能していることが分かる。
【００９７】
また、図６に示したカメラモジュール１１のレンズ面等の各面の曲率半径Ｒ、隣接する各面間の距離である面間隔ｄ、各レンズ等の屈折率、および各レンズ等のアッベ数は図７に示す通りである。
【００９８】
図７では、図６に示したカメラモジュール１１の各面に対して付与した面番号Ｓ２１乃至面番号Ｓ３７の各面について、ｍｍ単位で曲率半径Ｒと面間隔ｄが記されているとともに、各レンズと光学フィルタ２２の屈折率およびアッベ数が記されている。なお、図７の表記方法は図３における場合と同様であるので、その説明は省略する。
【００９９】
さらに、図６に示した撮像レンズ２１を構成するレンズのうち、レンズＬ１３乃至レンズＬ１７の各レンズ面は非球面形状となっており、それらのレンズ面の形状は図８に示す各係数を用いて上述した式（６）に示す非球面式により表すことができる。
【０１００】
図７では、非球面形状を有する面番号Ｓ２５、面番号Ｓ２６、および面番号Ｓ２８乃至面番号Ｓ３５の各面について、式（６）の計算に必要となる曲率半径Ｒ、コーニック定数Ｋ、および非球面係数Ａ乃至非球面係数Ｈが示されている。なお、図８の表記方法は図４における場合と同様であるので、その説明は省略する。
【０１０１】
以上に示した設計データに基づく図６の撮像レンズ２１は、本技術の概要で説明した各条件を満たすものとなっている。
【０１０２】
例えば、式（１）に示したアッベ数の差νmax−νmin、式（３）に示した全長と焦点距離の比Σｄ／ｆ、および式（５）に示した焦点距離の比ｆｓ／ｆは、以下の表４に示す通りとなる。
【０１０３】
【表４】
2014192567.tif 000012
【０１０４】
すなわち、表３から前群３１を構成するレンズのうち、負の屈折力を持つレンズであるのはレンズＬ１１とレンズＬ１２であることが分かるとともに、前群３１を構成するレンズのうち、正の屈折力を持つレンズであるのはレンズＬ１３であることが分かる。
【０１０５】
また、図７から、前群３１を構成する負の屈折力を持つレンズのうち、アッベ数が最大となるのはレンズＬ１２であり、そのアッベ数は70.23であることが分かる。さらに、図７から、前群３１を構成する正の屈折力を持つレンズであるレンズＬ１３のアッベ数は23.90であることが分かる。
【０１０６】
したがって、アッベ数の最大値νmaxと最小値νminとの差は、表４に示すように46.33（＝70.23-23.90）＞14となり、式（１）の関係も式（２）の関係も満たされることが分かる。
【０１０７】
また、表３に示したように撮像レンズ２１の全長Σｄは7.853であり、撮像レンズ２１全系の焦点距離ｆは1.5918であるから、全長Σｄと焦点距離ｆの比は表４に示すように4.93340872（＝7.853/1.5918）＜15となり、式（３）の関係も式（４）の関係も満たされることが分かる。
【０１０８】
さらに、表３に示したように後群３３の焦点距離ｆｓは2.3342であり、撮像レンズ２１全系の焦点距離ｆは1.5918であるから、焦点距離ｆｓと焦点距離ｆの比は表４に示すように1.46639025（＝2.3342/1.5918）となり、式（５）が満たされることが分かる。
【０１０９】
以上のように、本技術の概要で説明した各条件を満たす図６の撮像レンズ２１は、小型で、かつ十分な光学性能を有するものとなっている。このような撮像レンズ２１の球面収差、非点収差、および歪曲収差を図９に示す。
【０１１０】
なお、図９において、図中、左側に球面収差が示されており、中央には非点収差が示されており、右側には歪曲収差が示されている。また、図９の表記方法は図５における場合と同様であるので、その説明は省略する。但し、図９では、非点収差および歪曲収差の縦軸が像の高さとなっている。
【０１１１】
図９に示す球面収差、非点収差、および歪曲収差から、撮像レンズ２１においては各収差が良好に補正されており、十分な光学性能が得られることが分かる。
【０１１２】
〈第３の実施の形態〉
〈カメラモジュールの構成例〉
続いて本技術を適用したカメラモジュールのさらに他の実施の形態について説明する。図１０は、カメラモジュールの他の構成例を示す図である。なお、図１０において図２における場合と対応する部分には同一の符号を付してあり、その説明は適宜省略する。
【０１１３】
図１０に示すカメラモジュール１１は、撮像レンズ２１、光学フィルタ２２、およびイメージセンサ２３から構成される。図１０に示すカメラモジュール１１は、撮像レンズ２１の前群３１と後群３３のレンズ構成が図２に示したカメラモジュール１１と異なり、その他の点では図２のカメラモジュール１１と同じ構成となっている。
【０１１４】
図１０では、前群３１はレンズＬ２１乃至レンズＬ２３から構成され、物体側から撮像面の方向に順番にレンズＬ２１乃至レンズＬ２３が配置されている。また、後群３３は、レンズＬ２４乃至レンズＬ２７から構成され、物体側から撮像面の方向に順番にレンズＬ２４乃至レンズＬ２７が配置されている。そして、前群３１と後群３３の間には絞り３２が配置されている。
【０１１５】
このように図１０に示す撮像レンズ２１では、後群３３は４枚のレンズから構成されており、後群３３を構成する最も撮像面側のレンズＬ２７は負の屈折力を持つレンズとなっている。そして、このレンズＬ２７の撮像面側のレンズ面の形状は、レンズ端付近に変曲点を持つ非球面形状となっている。具体的には、レンズＬ２７の撮像面側のレンズ面では、光軸近傍の形状が凹形状となっており、外周部分近傍の形状が凸形状となっている。
【０１１６】
また、図１０では、カメラモジュール１１を構成するレンズ等の部材の各面に対して面番号が付与されている。具体的には、レンズＬ２１乃至レンズＬ２３の各レンズ面、絞り３２の表面、レンズＬ２４乃至レンズＬ２７の各レンズ面、および光学フィルタ２２の表裏の各面に対して、物体側から撮像面方向に順番に面番号Ｓ４１乃至面番号Ｓ５７が付与されている。
【０１１７】
このような構成の撮像レンズ２１の全長、撮像レンズ２１の焦点距離、前群３１の焦点距離、後群３３の焦点距離、およびレンズＬ２１乃至レンズＬ２７の焦点距離は、以下の表５に示す通りである。なお、表５の表記方法は表１の場合と同様であるので、その説明は省略する。
【０１１８】
【表５】
2014192567.tif 000013
【０１１９】
この例では前群３１が負の屈折力を持つレンズとして機能し、後群３３は正の屈折力を持つレンズとして機能していることが分かる。
【０１２０】
また、図１０に示したカメラモジュール１１のレンズ面等の各面の曲率半径Ｒ、隣接する各面間の距離である面間隔ｄ、各レンズ等の屈折率、および各レンズ等のアッベ数は図１１に示す通りである。
【０１２１】
図１１では、図１０に示したカメラモジュール１１の各面に対して付与した面番号Ｓ４１乃至面番号Ｓ５７の各面について、曲率半径Ｒと面間隔ｄが記されているとともに、各レンズと光学フィルタ２２の屈折率およびアッベ数が記されている。なお、図１１の表記方法は図３における場合と同様であるので、その説明は省略する。
【０１２２】
さらに、図１０に示した撮像レンズ２１を構成するレンズのうち、レンズＬ２２乃至レンズＬ２７の各レンズ面は非球面形状となっており、それらのレンズ面の形状は図１２に示す各係数を用いて上述した式（６）に示す非球面式により表すことができる。
【０１２３】
図１２では、非球面形状を有する面番号Ｓ４３乃至面番号Ｓ４６、および面番号Ｓ４８乃至面番号Ｓ５５の各面について、式（６）の計算に必要となる曲率半径Ｒ、コーニック定数Ｋ、および非球面係数Ａ乃至非球面係数Ｈが示されている。なお、図１２の表記方法は図４における場合と同様であるので、その説明は省略する。
【０１２４】
以上に示した設計データに基づく図１０の撮像レンズ２１は、本技術の概要で説明した各条件を満たすものとなっている。
【０１２５】
例えば、式（１）に示したアッベ数の差νmax−νmin、式（３）に示した全長と焦点距離の比Σｄ／ｆ、および式（５）に示した焦点距離の比ｆｓ／ｆは、以下の表６に示す通りとなる。
【０１２６】
【表６】
2014192567.tif 000014
【０１２７】
すなわち、アッベ数の最大値νmaxと最小値νminとの差は36.76＞14となり、全長Σｄと焦点距離ｆの比は4.965269913＜15となり、焦点距離ｆｓと焦点距離ｆの比は1.672329181となっている。したがって、上述した式（１）、式（３）、および式（５）が満たされることが分かる。また、式（２）および式（４）の関係も満足される。なお、表６に示した各値の算出方法は、表２における場合と同様であるので、その説明は省略する。
【０１２８】
以上のように、本技術の概要で説明した各条件を満たす図１０の撮像レンズ２１は、小型で、かつ十分な光学性能を有するものとなっている。このような撮像レンズ２１の球面収差、非点収差、および歪曲収差を図１３に示す。
【０１２９】
なお、図１３において、図中、左側に球面収差が示されており、中央には非点収差が示されており、右側には歪曲収差が示されている。また、図１３の表記方法は図９における場合と同様であるので、その説明は省略する。
【０１３０】
図１３に示す球面収差、非点収差、および歪曲収差から、撮像レンズ２１においては各収差が良好に補正されており、十分な光学性能が得られることが分かる。
【０１３１】
〈第４の実施の形態〉
〈カメラモジュールの構成例〉
続いて本技術を適用したカメラモジュールのさらに他の実施の形態について説明する。図１４は、カメラモジュールの他の構成例を示す図である。なお、図１４において図２における場合と対応する部分には同一の符号を付してあり、その説明は適宜省略する。
【０１３２】
図１４に示すカメラモジュール１１は、撮像レンズ２１、光学フィルタ２２、およびイメージセンサ２３から構成される。図１４に示すカメラモジュール１１は、撮像レンズ２１の前群３１と後群３３のレンズ構成が図２に示したカメラモジュール１１と異なり、その他の点では図２のカメラモジュール１１と同じ構成となっている。
【０１３３】
図１４では、前群３１はレンズＬ３１乃至レンズＬ３３から構成され、物体側から撮像面の方向に順番にレンズＬ３１乃至レンズＬ３３が配置されている。また、後群３３は、レンズＬ３４乃至レンズＬ３７から構成され、物体側から撮像面の方向に順番にレンズＬ３４乃至レンズＬ３７が配置されている。そして、前群３１と後群３３の間には絞り３２が配置されている。
【０１３４】
このように図１４に示す撮像レンズ２１では、後群３３は４枚のレンズから構成されており、後群３３を構成する最も撮像面側のレンズＬ３７は負の屈折力を持つレンズとなっている。そして、このレンズＬ３７の撮像面側のレンズ面の形状は、レンズ端付近に変曲点を持つ非球面形状となっている。具体的には、レンズＬ３７の撮像面側のレンズ面では、光軸近傍の形状が凹形状となっており、外周部分近傍の形状が凸形状となっている。
【０１３５】
また、図１４では、カメラモジュール１１を構成するレンズ等の部材の各面に対して面番号が付与されている。具体的には、レンズＬ３１乃至レンズＬ３３の各レンズ面、絞り３２の表面、レンズＬ３４乃至レンズＬ３７の各レンズ面、および光学フィルタ２２の表裏の各面に対して、物体側から撮像面方向に順番に面番号Ｓ６１乃至面番号Ｓ７７が付与されている。
【０１３６】
このような構成の撮像レンズ２１の全長、撮像レンズ２１の焦点距離、前群３１の焦点距離、後群３３の焦点距離、およびレンズＬ３１乃至レンズＬ３７の焦点距離は、以下の表７に示す通りである。なお、表７の表記方法は表１の場合と同様であるので、その説明は省略する。
【０１３７】
【表７】
2014192567.tif 000015
【０１３８】
この例では前群３１が負の屈折力を持つレンズとして機能し、後群３３は正の屈折力を持つレンズとして機能していることが分かる。
【０１３９】
また、図１４に示したカメラモジュール１１のレンズ面等の各面の曲率半径Ｒ、隣接する各面間の距離である面間隔ｄ、各レンズ等の屈折率、および各レンズ等のアッベ数は図１５に示す通りである。
【０１４０】
図１５では、図１４に示したカメラモジュール１１の各面に対して付与した面番号Ｓ６１乃至面番号Ｓ７７の各面について、曲率半径Ｒと面間隔ｄが記されているとともに、各レンズと光学フィルタ２２の屈折率およびアッベ数が記されている。なお、図１５の表記方法は図３における場合と同様であるので、その説明は省略する。
【０１４１】
さらに、図１４に示した撮像レンズ２１を構成するレンズのうち、レンズＬ３４乃至レンズＬ３７の各レンズ面は非球面形状となっており、それらのレンズ面の形状は図１６に示す各係数を用いて上述した式（６）に示す非球面式により表すことができる。
【０１４２】
図１６では、非球面形状を有する面番号Ｓ６８乃至面番号Ｓ７５の各面について、式（６）の計算に必要となる曲率半径Ｒ、コーニック定数Ｋ、および非球面係数Ａ乃至非球面係数Ｈが示されている。なお、図１６の表記方法は図４における場合と同様であるので、その説明は省略する。
【０１４３】
以上に示した設計データに基づく図１４の撮像レンズ２１は、本技術の概要で説明した各条件を満たすものとなっている。
【０１４４】
例えば、式（１）に示したアッベ数の差νmax−νmin、式（３）に示した全長と焦点距離の比Σｄ／ｆ、および式（５）に示した焦点距離の比ｆｓ／ｆは、以下の表８に示す通りとなる。
【０１４５】
【表８】
2014192567.tif 000016
【０１４６】
すなわち、アッベ数の最大値νmaxと最小値νminとの差は72.19＞14となり、全長Σｄと焦点距離ｆの比は4.854495628＜15となり、焦点距離ｆｓと焦点距離ｆの比は1.051220149となっている。したがって、上述した式（１）、式（３）、および式（５）が満たされることが分かる。また、式（２）および式（４）の関係も満足される。なお、表８に示した各値の算出方法は、表２における場合と同様であるので、その説明は省略する。
【０１４７】
以上のように、本技術の概要で説明した各条件を満たす図１４の撮像レンズ２１は、小型で、かつ十分な光学性能を有するものとなっている。このような撮像レンズ２１の球面収差、非点収差、および歪曲収差を図１７に示す。
【０１４８】
なお、図１７において、図中、左側に球面収差が示されており、中央には非点収差が示されており、右側には歪曲収差が示されている。また、図１７の表記方法は図９における場合と同様であるので、その説明は省略する。
【０１４９】
図１７に示す球面収差、非点収差、および歪曲収差から、撮像レンズ２１においては各収差が良好に補正されており、十分な光学性能が得られることが分かる。
【０１５０】
〈第５の実施の形態〉
〈カメラモジュールの構成例〉
続いて本技術を適用したカメラモジュールのさらに他の実施の形態について説明する。図１８は、カメラモジュールの他の構成例を示す図である。なお、図１８において図２における場合と対応する部分には同一の符号を付してあり、その説明は適宜省略する。
【０１５１】
図１８に示すカメラモジュール１１は、撮像レンズ２１、光学フィルタ２２、およびイメージセンサ２３から構成される。図１８に示すカメラモジュール１１は、撮像レンズ２１の前群３１と後群３３のレンズ構成が図２に示したカメラモジュール１１と異なり、その他の点では図２のカメラモジュール１１と同じ構成となっている。
【０１５２】
図１８では、前群３１はレンズＬ４１乃至レンズＬ４３から構成され、物体側から撮像面の方向に順番にレンズＬ４１乃至レンズＬ４３が配置されている。また、後群３３は、レンズＬ４４乃至レンズＬ４６から構成され、物体側から撮像面の方向に順番にレンズＬ４４乃至レンズＬ４６が配置されている。そして、前群３１と後群３３の間には絞り３２が配置されている。
【０１５３】
図１８に示す撮像レンズ２１では、後群３３を構成する最も撮像面側のレンズＬ４６は負の屈折力を持つレンズとなっている。そして、このレンズＬ４６の撮像面側のレンズ面の形状は、レンズ端付近に変曲点を持つ非球面形状となっている。具体的には、レンズＬ４６の撮像面側のレンズ面では、光軸近傍の形状が凹形状となっており、外周部分近傍の形状が凸形状となっている。
【０１５４】
また、図１８では、カメラモジュール１１を構成するレンズ等の部材の各面に対して面番号が付与されている。具体的には、レンズＬ４１乃至レンズＬ４３の各レンズ面、絞り３２の表面、レンズＬ４４乃至レンズＬ４６の各レンズ面、および光学フィルタ２２の表裏の各面に対して、物体側から撮像面方向に順番に面番号Ｓ８１乃至面番号Ｓ９４が付与されている。なお、互いに密着しているレンズＬ４４の撮像面側のレンズ面と、レンズＬ４５の物体側のレンズ面とには、同じ面番号Ｓ８９が付与されている。
【０１５５】
このような構成の撮像レンズ２１の全長、撮像レンズ２１の焦点距離、前群３１の焦点距離、後群３３の焦点距離、およびレンズＬ４１乃至レンズＬ４６の焦点距離は、以下の表９に示す通りである。なお、表９の表記方法は表１の場合と同様であるので、その説明は省略する。
【０１５６】
【表９】
2014192567.tif 000017
【０１５７】
この例では前群３１は負の屈折力を持つレンズとして機能し、後群３３は正の屈折力を持つレンズとして機能していることが分かる。
【０１５８】
また、図１８に示したカメラモジュール１１のレンズ面等の各面の曲率半径Ｒ、隣接する各面間の距離である面間隔ｄ、各レンズ等の屈折率、および各レンズ等のアッベ数は図１９に示す通りである。
【０１５９】
図１９では、図１８に示したカメラモジュール１１の各面に対して付与した面番号Ｓ８１乃至面番号Ｓ９４の各面について、曲率半径Ｒと面間隔ｄが記されているとともに、各レンズと光学フィルタ２２の屈折率およびアッベ数が記されている。なお、図１９の表記方法は図３における場合と同様であるので、その説明は省略する。
【０１６０】
さらに、図１８に示した撮像レンズ２１を構成するレンズのうち、レンズＬ４３およびレンズＬ４６の各レンズ面は非球面形状となっており、それらのレンズ面の形状は図２０に示す各係数を用いて上述した式（６）に示す非球面式により表すことができる。
【０１６１】
図２０では、非球面形状を有する面番号Ｓ８５、面番号Ｓ８６、面番号Ｓ９１、および面番号Ｓ９２の各面について、式（６）の計算に必要となる曲率半径Ｒ、コーニック定数Ｋ、および非球面係数Ａ乃至非球面係数Ｈが示されている。なお、図２０の表記方法は図４における場合と同様であるので、その説明は省略する。
【０１６２】
以上に示した設計データに基づく図１８の撮像レンズ２１は、本技術の概要で説明した各条件を満たすものとなっている。
【０１６３】
例えば、式（１）に示したアッベ数の差νmax−νmin、式（３）に示した全長と焦点距離の比Σｄ／ｆ、および式（５）に示した焦点距離の比ｆｓ／ｆは、以下の表１０に示す通りとなる。
【０１６４】
【表１０】
2014192567.tif 000018
【０１６５】
すなわち、アッベ数の最大値νmaxと最小値νminとの差は40.298＞14となり、全長Σｄと焦点距離ｆの比は5.000053031＜15となり、焦点距離ｆｓと焦点距離ｆの比は1.495624967となっている。したがって、上述した式（１）、式（３）、および式（５）が満たされることが分かる。また、式（２）および式（４）の関係も満足される。なお、表１０に示した各値の算出方法は、表２における場合と同様であるので、その説明は省略する。
【０１６６】
以上のように、本技術の概要で説明した各条件を満たす図１８の撮像レンズ２１は、小型で、かつ十分な光学性能を有するものとなっている。このような撮像レンズ２１の球面収差、非点収差、および歪曲収差を図２１に示す。
【０１６７】
なお、図２１において、図中、左側に球面収差が示されており、中央には非点収差が示されており、右側には歪曲収差が示されている。また、図２１の表記方法は図９における場合と同様であるので、その説明は省略する。
【０１６８】
図２１に示す球面収差、非点収差、および歪曲収差から、撮像レンズ２１においては各収差が良好に補正されており、十分な光学性能が得られることが分かる。
【０１６９】
〈第６の実施の形態〉
〈カメラモジュールの構成例〉
続いて本技術を適用したカメラモジュールのさらに他の実施の形態について説明する。図２２は、カメラモジュールの他の構成例を示す図である。なお、図２２において図２における場合と対応する部分には同一の符号を付してあり、その説明は適宜省略する。
【０１７０】
図２２に示すカメラモジュール１１は、撮像レンズ２１、光学フィルタ２２、およびイメージセンサ２３から構成される。図２２に示すカメラモジュール１１は、撮像レンズ２１の前群３１と後群３３のレンズ構成が図２に示したカメラモジュール１１と異なり、その他の点では図２のカメラモジュール１１と同じ構成となっている。
【０１７１】
図２２では、前群３１はレンズＬ５１乃至レンズＬ５３から構成され、物体側から撮像面の方向に順番にレンズＬ５１乃至レンズＬ５３が配置されている。また、後群３３は、レンズＬ５４乃至レンズＬ５７から構成され、物体側から撮像面の方向に順番にレンズＬ５４乃至レンズＬ５７が配置されている。そして、前群３１と後群３３の間には絞り３２が配置されている。
【０１７２】
このように図２２に示す撮像レンズ２１では、後群３３は４枚のレンズから構成されており、後群３３を構成する最も撮像面側のレンズＬ５７は負の屈折力を持つレンズとなっている。そして、このレンズＬ５７の撮像面側のレンズ面の形状は、レンズ端付近に変曲点を持つ非球面形状となっている。具体的には、レンズＬ５７の撮像面側のレンズ面では、光軸近傍の形状が凹形状となっており、外周部分近傍の形状が凸形状となっている。
【０１７３】
また、図２２では、カメラモジュール１１を構成するレンズ等の部材の各面に対して面番号が付与されている。具体的には、レンズＬ５１乃至レンズＬ５３の各レンズ面、絞り３２の表面、レンズＬ５４乃至レンズＬ５７の各レンズ面、および光学フィルタ２２の表裏の各面に対して、物体側から撮像面方向に順番に面番号Ｓ１０１乃至面番号Ｓ１１７が付与されている。
【０１７４】
このような構成の撮像レンズ２１の画角は１７１度となっており、撮像レンズ２１の全長、撮像レンズ２１の焦点距離、前群３１の焦点距離、後群３３の焦点距離、およびレンズＬ５１乃至レンズＬ５７の焦点距離は、以下の表１１に示す通りである。なお、表１１の表記方法は表１の場合と同様であるので、その説明は省略する。
【０１７５】
【表１１】
2014192567.tif 000019
【０１７６】
この例では前群３１と後群３３は、それぞれ正の屈折力を持つレンズとして機能していることが分かる。
【０１７７】
また、図２２に示したカメラモジュール１１のレンズ面等の各面の曲率半径Ｒ、隣接する各面間の距離である面間隔ｄ、各レンズ等の屈折率、および各レンズ等のアッベ数は図２３に示す通りである。
【０１７８】
図２３では、図２２に示したカメラモジュール１１の各面に対して付与した面番号Ｓ１０１乃至面番号Ｓ１１７の各面について、曲率半径Ｒと面間隔ｄが記されているとともに、各レンズと光学フィルタ２２の屈折率およびアッベ数が記されている。なお、図２３の表記方法は図３における場合と同様であるので、その説明は省略する。
【０１７９】
さらに、図２２に示した撮像レンズ２１を構成するレンズのうち、レンズＬ５３乃至レンズＬ５７の各レンズ面は非球面形状となっており、それらのレンズ面の形状は図２４に示す各係数を用いて上述した式（６）に示す非球面式により表すことができる。
【０１８０】
図２４では、非球面形状を有する面番号Ｓ１０５、面番号Ｓ１０６、および面番号Ｓ１０８乃至面番号Ｓ１１５の各面について、式（６）の計算に必要となる曲率半径Ｒ、コーニック定数Ｋ、および非球面係数Ａ乃至非球面係数Ｈが示されている。なお、図２４の表記方法は図４における場合と同様であるので、その説明は省略する。
【０１８１】
以上に示した設計データに基づく図２２の撮像レンズ２１は、本技術の概要で説明した各条件を満たすものとなっている。
【０１８２】
例えば、式（１）に示したアッベ数の差νmax−νmin、式（３）に示した全長と焦点距離の比Σｄ／ｆ、および式（５）に示した焦点距離の比ｆｓ／ｆは、以下の表１２に示す通りとなる。
【０１８３】
【表１２】
2014192567.tif 000020
【０１８４】
すなわち、アッベ数の最大値νmaxと最小値νminとの差は14.44＞14となり、全長Σｄと焦点距離ｆの比は6.274869911＜15となり、焦点距離ｆｓと焦点距離ｆの比は3.911157025となっている。したがって、上述した式（１）、式（３）、および式（５）が満たされることが分かる。また、式（２）および式（４）の関係も満足される。なお、表１２に示した各値の算出方法は、表２における場合と同様であるので、その説明は省略する。
【０１８５】
以上のように、本技術の概要で説明した各条件を満たす図２２の撮像レンズ２１は、小型で、かつ十分な光学性能を有するものとなっている。このような撮像レンズ２１の球面収差、非点収差、および歪曲収差を図２５に示す。
【０１８６】
なお、図２５において、図中、左側に球面収差が示されており、中央には非点収差が示されており、右側には歪曲収差が示されている。また、図２５の表記方法は図５における場合と同様であるので、その説明は省略する。
【０１８７】
図２５に示す球面収差、非点収差、および歪曲収差から、撮像レンズ２１においては各収差が良好に補正されており、十分な光学性能が得られることが分かる。
【０１８８】
［撮像装置の構成例］
なお、本技術は、携帯電話機やウェアラブルカメラ、デジタルスチルカメラやビデオカメラなど、撮像レンズを備えている撮像装置全般に対して適用可能である。
【０１８９】
図２６は、本技術を適用した撮像装置の構成例を示す図である。
【０１９０】
図２６の撮像装置３０１は、レンズ群などからなる光学部３１１、固体撮像素子（撮像デバイス）３１２、およびカメラ信号処理回路であるＤＳＰ(Digital Signal Processor)回路３１３を備える。また、撮像装置３０１は、フレームメモリ３１４、表示部３１５、記録部３１６、操作部３１７、および電源部３１８も備える。ＤＳＰ回路３１３、フレームメモリ３１４、表示部３１５、記録部３１６、操作部３１７および電源部３１８は、バスライン３１９を介して相互に接続されている。
【０１９１】
光学部３１１は、被写体からの入射光（像光）を取り込んで固体撮像素子３１２の撮像面上に結像する。固体撮像素子３１２は、光学部３１１によって撮像面上に結像された入射光の光量を画素単位で電気信号に変換して画素信号として出力する。これらの光学部３１１と固体撮像素子３１２が、上述したカメラモジュール１１に対応する。
【０１９２】
表示部３１５は、例えば、液晶パネルや有機ＥＬ(Electro Luminescence)パネル等のパネル型表示装置からなり、固体撮像素子３１２で撮像された動画像または静止画像を表示する。記録部３１６は、固体撮像素子３１２で撮像された動画像または静止画像を、ビデオテープやＤＶＤ(Digital Versatile Disk)等の記録媒体に記録する。
【０１９３】
操作部３１７は、ユーザによる操作の下に、撮像装置３０１が持つ様々な機能について操作指令を発する。電源部３１８は、ＤＳＰ回路３１３、フレームメモリ３１４、表示部３１５、記録部３１６および操作部３１７の動作電源となる各種の電源を、これら供給対象に対して適宜供給する。
【０１９４】
なお、本技術の実施の形態は、上述した実施の形態に限定されるものではなく、本技術の要旨を逸脱しない範囲において種々の変更が可能である。
【０１９５】
さらに、本技術は、以下の構成とすることも可能である。
【０１９６】
［１］
物体側に配置され、少なくとも１枚の負の屈折力を持つレンズと、少なくとも１枚の正の屈折力を持つレンズとを有する前群と、
撮像面側に配置され、少なくとも１枚の負の屈折力を持つレンズを有する後群と、
前記前群と前記後群との間に配置された絞りと
を備え、
最も撮像面側のレンズ面の形状が、変曲点を有する非球面形状とされ、
前記前群を構成する負の屈折力を持つレンズのアッベ数の最大値をνmaxとし、前記前群を構成する正の屈折力を持つレンズのアッベ数の最小値をνminとしたときに、
νmax−νmin＞１４
の関係を満足する
撮像レンズ。
［２］
最も物体側に位置するレンズ面の面頂点から撮像面までの光軸上の距離をΣｄとし、前記撮像レンズの全系の焦点距離をｆとしたときに、
Σｄ／ｆ＜１５
の関係を満足する
［１］に記載の撮像レンズ。
［３］
前記絞りよりも撮像面側に位置するレンズの合成焦点距離をｆｓとし、前記撮像レンズの全系の焦点距離をｆとしたときに、
０．５＜ｆｓ／ｆ＜５．０
の関係を満足する
［１］または［２］に記載の撮像レンズ。
［４］
νmax−νmin＞１４．４
の関係を満足する
［１］乃至［３］の何れかに記載の撮像レンズ。
［５］
Σｄ／ｆ＜８．０
の関係を満足する
［２］に記載の撮像レンズ。
［６］
最も撮像面側に位置するレンズが負の屈折力を持つレンズである
［１］乃至［５］の何れかに記載の撮像レンズ。
［７］
最も撮像面側のレンズ面の光軸近傍が凹形状とされ、周辺部が凸形状とされている
［１］乃至［６］の何れかに記載の撮像レンズ。
［８］
前記撮像レンズの画角は１００度以上である
［１］乃至［７］の何れかに記載の撮像レンズ。
［９］
前記撮像レンズは６枚以上のレンズで構成されている
［１］乃至［８］の何れかに記載の撮像レンズ。
［１０］
変曲点を有する非球面形状のレンズがプラスチックにより形成されている
［１］乃至［９］の何れかに記載の撮像レンズ。
［１１］
特定の大きさ以下のレンズがプラスチックにより形成されている
［１］乃至［１０］の何れかに記載の撮像レンズ。
［１２］
特定の大きさ以上のレンズがガラスにより形成されている
［１］乃至［１１］の何れかに記載の撮像レンズ。
【符号の説明】
【０１９７】
１１  カメラモジュール，  ２１  撮像レンズ，  ２３  イメージセンサ，  ３１  前群，  ３２  絞り，  ３３  後群
【図１】
2014192567.tif 000021
【図２】
2014192567.tif 000022
【図３】
2014192567.tif 000023
【図４】
2014192567.tif 000024
【図５】
2014192567.tif 000025
【図６】
2014192567.tif 000026
【図７】
2014192567.tif 000027
【図８】
2014192567.tif 000028
【図９】
2014192567.tif 000029
【図１０】
2014192567.tif 000030
【図１１】
2014192567.tif 000031
【図１２】
2014192567.tif 000032
【図１３】
2014192567.tif 000033
【図１４】
2014192567.tif 000034
【図１５】
2014192567.tif 000035
【図１６】
2014192567.tif 000036
【図１７】
2014192567.tif 000037
【図１８】
2014192567.tif 000038
【図１９】
2014192567.tif 000039
【図２０】
2014192567.tif 000040
【図２１】
2014192567.tif 000041
【図２２】
2014192567.tif 000042
【図２３】
2014192567.tif 000043
【図２４】
2014192567.tif 000044
【図２５】
2014192567.tif 000045
【図２６】
2014192567.tif 000046
【国際調査報告】
2014192567.tif 000047
2014192567.tif 000048
2014192567.tif 000049
2014192567.tif 000050